(57)【要約】【課題】  火災発信機としての存在感を有しつつも、建物の内壁面と調和させることのできる火災発信機を提供する。【解決手段】  建物の壁部等に設けられ押釦スイッチ１０等を備えた火災発信機本体１をカバー体２にて略覆ってなる火災発信機において、カバー体２は枠体２０とこの枠体２０の正面に設けられる正面板３とから構成し、この正面板３は枠体２０に対して着脱自在とされると共に、枠体２０とは異なる色に彩色された略平面状の色彩板にてなる。また、枠体２０の略中央部には凹陥状の取付面２２を形成し、この取付面２２に正面板３を取付ける。【選択図】  図１
2005196742.tif 000002
【特許請求の範囲】
【請求項１】
建物の壁部等に設けられ押釦スイッチ等を備えた火災発信機本体をカバー体にて略覆ってなる火災発信機において、
上記カバー体は枠体と該枠体の正面に設けられる正面板とから構成し、該正面板は上記枠体または火災発信機本体に対して取付けられると共に、異なる色に彩色された複数の色彩板にてなり、選択されて設けられることを特徴とする火災発信機。
【請求項２】
上記枠体は赤色に彩色され、上記色彩板は有彩色または無彩色に彩色されてなることを特徴とする請求項１記載の火災発信機。
【請求項３】
上記枠体の略中央部には凹陥状の取付面を形成し、該取付面に上記正面板を取付けることを特徴とする請求項１または２記載の火災発信機。
【請求項４】
建物の壁部等に設けられ火災警報の発信あるいは表示を行う防災用機器において、
本体正面に色彩板が取付けられる取付部を備え、色彩の異なる複数の色彩板を用意し、選択して上記取付部に取付けられてなることを特徴とする防災用機器。
【発明の詳細な説明】
【技術分野】
【０００１】
本発明は、火災発生時に警報を発するために建物の壁部に設けられる火災発信機等の防災用機器に関し、特に露出部分の意匠性が高い防災用機器に関する。
【背景技術】
【０００２】
従来から、建物における火災発生や非常時を知らせるために、建物内部に火災発信機が設けられている。この火災発信機は、建物の廊下等の壁面に適切な高さで設置されており、警報発生用の押釦スイッチを備えている。火災発生時には、発見者が火災発信機の押釦スイッチを強く押すことにより、火災発生を知らせる信号が建物内に設けられた受信機に伝送されると共に、火災発信機近傍に設けられる非常ベルから警報音が発せられて、周囲の人に対し火災発生を知らせることができる。
【０００３】
このような火災発信機は、建物の壁面に埋め込むように設置されており、火災発信機本体は上記押釦スイッチと、電話線を接続するための電話ジャックとを備え、また押釦スイッチが押された場合に信号を伝送するための回路が内蔵されている。さらに、火災発信機本体の露出部分を覆う蓋体が火災発信機本体に対して取付けられる。蓋体は、押釦スイッチを露出させるように開口を有しており、また電話ジャックを覆うと共に、必要に応じて開閉することのできる扉を有している。このような従来の火災発信機としては、例えば特許文献１に挙げるようなものがある。
【特許文献１】特開平１０−１０５８４４号公報
【発明の開示】
【発明が解決しようとする課題】
【０００４】
ここで、従来の火災発信機は、室内に露出する部分である蓋体は、目立つように赤一色とされるのが一般的である。しかし、建物の内壁面は通常、白やグレー等に塗装がなされており、その中にあって赤色の火災発信機は周囲に対してあまりマッチするものではない。特に、火災発信機は床面から０．８ｍ以上１．５ｍ以下に設置しなければならず、建物の一般利用者の視界の中にちょうど入ってくる高さであるため、一般利用者からはあまり好感を持たれないことが多い。一方で、火災発信機を目立たないようにすると、緊急時に一般利用者がその位置をとっさに認識できないこととなる。
【０００５】
本発明は、上記課題を鑑みてなされたものであり、火災発信機としての存在感を有しつつも、建物の壁面と調和させることのできる火災発信機を提供することを目的とする。
【課題を解決するための手段】
【０００６】
上記課題を解決するため、本発明に係る火災発信機は、建物の壁部等に設けられ押釦スイッチ等を備えた火災発信機本体をカバー体にて略覆ってなる火災発信機において、
上記カバー体は枠体と該枠体の正面に設けられる正面板とから構成し、該正面板は上記枠体または火災発信機本体に対して取付けられると共に、異なる色に彩色された複数の色彩板にてなり、選択されて設けられることを特徴として構成されている。
【０００７】
また、本発明に係る火災発信機は、上記枠体は赤色に彩色され、上記色彩板は有彩色または無彩色に彩色されてなることを特徴として構成されている。
【０００８】
さらに、本発明に係る火災発信機は、上記枠体には正面に側面の端部から落とし込んだ略平面状の取付面を形成し、該取付面に上記正面板を取付けることを特徴として構成されている。
【０００９】
本発明に係る防災用機器は、建物の壁部等に設けられ火災警報の発信あるいは表示を行う防災用機器において、
本体正面に色彩板が取付けられる取付部を備え、色彩の異なる複数の色彩板を用意し、選択して上記取付部に取付けられてなることを特徴として構成されている。
【発明の効果】
【００１０】
本発明に係る火災発信機によれば、カバー体の正面には枠体とは異なる色の色彩板が取付けられるので、建物の壁面と調和した色彩を選択することができ、火災発信機の意匠性を向上させることができる。また、枠体と色彩板を着脱自在としたことにより、色彩板は壁色の変更等に伴って取り替えることが可能である。
【００１１】
また、本発明に係る火災発信機によれば、枠体は正面に側面の端部から落とし込んだ平面状の取付面を形成し、この取付面に正面板を取付けることにより、カバー体の正面に納まりよく色彩板を設けることができる。また、正面板の取替えも容易である。
【００１２】
さらに、本発明に係る火災発信機によれば、枠体の正面に開口部を設け、この開口部に背面側から平板状の正面板を取付けると共に、正面板は火災発信機本体と枠体に挟持固定されることにより、色彩板を強固に固定しておくことができる。
【００１３】
さらにまた、本発明に係る火災発信機によれば、枠体または火災発信機本体に保持片を設けて、この保持片に正面板を保持させた上で、正面板を枠体と火災発信機本体で挟持固定することにより、色彩板の固定を容易に行うことができる。
【発明を実施するための最良の形態】
【００１４】
本発明の実施形態について詳細に説明する。火災発信機は、建物の内壁面に埋め込まれるように設けられるもので、警報を発生するための押釦スイッチ１０と電話線を差し込むことのできる電話ジャック１１を備えている。また、火災発信機は建物の内壁面に所定の間隔で、かつ床面から０．８ｍ以上１．５ｍ以下となるように配置される。火災発見者は、この火災発信機の押釦スイッチ１０を強く押すことにより、管理人室等に設置され火災発信機とは配線にて接続された火災受信機に火災発生を知らせる信号が送信される。また、それに伴って火災発信機近傍に設けられる非常ベルから警報音が発せられることで、周囲の人に火災発生を知らせることができる。以下、このような火災発信機に本発明を適用した実施例について図面に沿って詳細に説明する。
【実施例１】
【００１５】
図１には、本実施例における火災発信機の正面図を示す。また、図２は火災発信機の側面組立図である。これら各図において、本実施例における火災発信機は、正面側に押釦スイッチ１０と電話ジャック１１を備え、背面側に火災受信機に信号を送信する送信部１２を備えた火災発信機本体１に対して、その露出部分を覆うカバー体２を設けてなるものである。カバー体２は押釦用開口２３から火災発信機本体１の押釦スイッチ１０を露出させている。すなわち、正面側から火災発信機を見ると、カバー体２と押釦スイッチ１０とが露出した状態となる。火災発信機本体１の電話ジャック１１は、カバー体２に設けられた開閉自在な扉部２４によって覆われており、必要に応じて扉部２４を開くことにより、露出させることができる。なお、扉部２４内側には、押釦スイッチ１０の復旧スイッチも設けられている。
【００１６】
カバー体２は、上述のように火災発信機本体１の露出部分を覆うことができるように、略円形の側面部２１を有した枠体２０と、その正面側に取付けられる正面板３から構成される。図２に示すように、カバー体２は火災発信機本体１を覆うように取付けられる。ここで、火災発信機は赤色でなければならないため、枠体２０の側面部２１は赤色とされる。これに対して、枠体２０の正面には赤色以外の有彩色または無彩色に彩色されてなる色彩板たる正面板３が設けられる。従来の火災発信機では、側面部から正面部分にかけて一体的に曲面状となるように形成されていたが、本発明の火災発信機では、枠体２０と正面板３を別体とした上で、正面板３を平面状としている。
【００１７】
図３には、本実施例における枠体２０及び正面板３の断面図を示す。この図に示すように、枠体２０には中央部に側面部２１の端部から落とし込んで凹陥状に形成される略平面状の取付面２２を形成している。取付面２２には、押釦用開口２３と扉部２４、及び火災発信機本体１に対する固定ネジ４を挿入するための挿入孔２５が形成されている。そして、この略平面状の取付面２２には、上記正面板３が取付けられる。また、枠体２０の内側面上部には、火災発信機本体１を固定する係合突起２７を設けている。この係合突起２７を火災発信機本体１に係合させると共に、固定ネジ４により火災発信機本体１に対しネジ止めすることで、カバー体２を火災発信機本体１に固定する
【００１８】
正面板３は、枠体２０の取付面２２に略適合する円盤状の平板として形成され、表面３０を塗装することで色彩板としてなるものである。または、正面板３が着色された材質からなっていれば、塗装の必要はない。いずれにしても、正面板は樹脂材からなるものである。ただし、色彩を付することのできる材質であれば、他の材料を用いてもよい。正面板３は、どのような色彩でも選択することができるので、あらかじめ複数の色彩の正面板３を用意しておき、建物の壁面に調和した色彩を選択することで、火災発信機の意匠性を高めることができる。また、壁面の色彩を変更したような場合には、それに合わせて着脱自在な正面板３のみを取り替えることで、改めて火災発信機を周囲と調和させることができる。
【００１９】
正面板３には、枠体２０と同様に押釦用開口３２が形成され、さらに扉部２４を露出させるための扉部用開口３３、及び固定ネジ４用のネジ孔３４が形成されている。正面板３の枠体２０に対する取付けに際しては、表面３０が正面側となるように配置した上で、裏面３１を取付面２２に対し接着により固定する。さらに、正面板３のネジ孔３４から枠体２０の挿入孔２５を介して火災発信機本体１の固定孔１３に対してネジ止めすることで、さらに強固に固定することができる。
【００２０】
このように、枠体２０の取付面２２に色彩板たる正面板３を着脱自在に取付け、これによってカバー体２を形成している。枠体２０に取付面２２を形成して、そこに正面板３を取付固定するようにしたので、色彩板の取付を簡単に行うことができる。また、枠体２０の取付面２２は側面部２１よりも落とし込んで凹陥状に形成されているので、正面板３の納まりをよくすることができ、正面板３の保護としての機能を有し、また側方から見た場合にそれが火災発信機であることを容易に認識することができる。
【実施例２】
【００２１】
次に、実施例２について詳細に説明する。図５には、本実施例における枠体２０の背面図を示す。また、図６には本実施例における正面板３の正面図、図７には本実施例における枠体２０と正面板３の断面図を示す。本実施例の火災発信機は、火災発信機本体１については実施例１と同様である。すなわち、正面側に押釦スイッチ１０と電話ジャック１１を備え、背面側に火災受信機に信号を送信する送信部１２を備えている。また、カバー体２も火災発信機本体１に対してその露出部分を覆う点においては共通している。ただし、カバー体２の枠体２０の構成が実施例１とは異なっている。
【００２２】
図５に示すように、本実施例におけるカバー体２は、枠体２０に開口部２６が形成されている。そして、側面部２１の内周面には、保持片２８が形成されている。一方、図６に示すように、本実施例における正面板３は、その上下左右にそれぞれ延出部３５が形成されている。正面板３を枠体２０に取付ける際には、図７に示すように、正面板３を枠体２０の背面側から取付ける。このとき、正面板３は枠体２０に対して約４５ー傾けて挿入し、その後正面板３を回転させるようにスライドさせて、正面板３の延出部３５を枠体２０の保持片２８に係合させる。さらにネジ孔３４に固定ネジ４を挿入し、枠体２０と正面板３及び火災発信機本体１を固定する。これによって正面板３は枠体２０の保持片２８に保持されると共に、火災発信機本体１と枠体２０に挟持され、固定される。なお、本実施例では保持片２８を枠体２０に形成しているが、これを火災発信機本体１の周縁部に形成することで、正面板３を火災発信機本体１に保持させた上で、火災発信機本体１と枠体２０に挟持されるようにしてもよい。
【００２３】
以上のように、本実施例においては、枠体２０の開口部２６が背面側から取付けられる正面板３によって塞がれる構造となっている。なお、正面板３は実施例１の場合と同様に、色彩板として形成されてなるものである。また、正面板３には実施例１と異なり、扉部２４が形成されている。上記の実施例２においては、正面板３がスライドされることで枠体２０に取付けられるが、保持片２８の突出を低くして、スライドさせずに直接押し込んで取付けるようにしてもよい。扉３３は本体１に設けられて、対応する正面板３の位置には開口部を設けるようにしてもよい。
【実施例３】
【００２４】
さらに、実施例３について詳細に説明する。図８には、本実施例における火災発信機の正面図を示す。本実施例は、実施例１と略同様の構成を有している。すなわち、正面側に押釦スイッチ１０と電話ジャック１１を備え、背面側に火災受信機に信号を送信する送信部１２を備えた火災発信機本体１に対して、枠体２０及び正面板３からなるカバー体２を取付ける。枠体２０の正面には取付面２２が形成されており、その取付面２２に色彩板たる正面板３を取付固定する。
【００２５】
本実施形態では、枠体２０における取付面２２の上部に差込凹部２９が形成され、一方正面板３の上部には突起状の突出部３６が形成されており、正面板３の突出部３６を枠体２０の差込凹部２９に係合させ、さらにネジ孔３４からネジ止めする。これにより、取付面２２と正面板３とを接着することなく正面板３を枠体２０に対して固定することができるので、正面板３の取替えを容易に行うことができる。
【実施例４】
【００２６】
実施例４は、実施例３においてさらにネジ止めを不要としたものである。図９には、本実施例における火災発信機の正面図を示す。本実施例では、枠体２０における取付面２２の上部に加えて、下部にも差込凹部２９が形成され、一方正面板３にも上部に加えて下部にも突起状の突出部３６が形成されている。枠体２０は予め本体１にネジ止めされ、枠体２０に正面板３の突出部３６を２個所で係合させることによって、正面板３の枠体２０に対するネジ止めを不要とすることができ、正面視をすっきりさせることができる。また、正面板３の取替えを容易に行うことができる。
【実施例５】
【００２７】
次に実施例５について説明する。図１０には、本実施例における火災発信機の正面図を示す。これまで説明した実施例１〜４においては、火災発信機本体１の正面に配置される押釦スイッチ１０と扉部２４は、同様の位置関係にある。しかしこれらの配置は、必ずしもこれに限られず、他の配置であっても押釦スイッチ１０と扉部２４以外の部分を色彩板とすることができればよい。本実施例では、押釦スイッチ１０は火災発信機本体１の略中心部に配置されている。また、押釦スイッチ１０の下部には、２つの扉部２４、２４がそれぞれ独立して開くことができるように配置されている。
【００２８】
なお、上記の火災発信機の他の実施例としては、正面板３を本体１の正面に取付け、その後に図５のような中央が開口した枠体をはめ込む構成であってもよい。また、正面板３は、本体１にも枠体２０にも固定されず、枠体２０の周囲に設けたネジ止め機構によって本体１１にネジ止めされたときに、間に位置する正面板３が挟まれて固定される構成であってもよい。また、図８、図９の凹部２９は内側への凸部とし、正面板３を円形もしくは凹部を設けるようにしてもよい。
【実施例６】
【００２９】
これまで火災発信機に色彩板たる正面板３を設けた実施例について説明した。しかし、建物の壁面に設けられるのは、火災発信機単体だけとは限らず、その他の機器と組み合わせる場合もある。実施例６では、本発明を機器収納箱４０に適用した場合について説明する。図１１は、本実施例における機器収納箱４０の斜視図である。機器収納箱４０は、建物の壁面に設けられるものであって、実施例１〜５で説明した火災発信機に加えて、警報発生時に点灯する警報灯４１を納めて、これらを正面に露出させ、さらに警報音を発生する音響部（図示しない）を内部に納め、正面には音響孔４２を備えてなるものである。
【００３０】
このような機器収納箱４０は、火災発信機単体が建物の壁面に設けられている場合と同様に、赤色等の固定色のみで構成されているものである。本実施例では、火災発信機に限らず、建物内の防災用機器の意匠性を向上させるため、機器収納箱４０の正面部分に色彩板４４を設けてなるものである。図１１に示すように、機器収納箱４０の正面には略全面に渡る凹陥状であって略平面状の取付面４３が形成されており、この取付面４３に色彩板４４が取付固定される。または、機器収納箱４０の正面カバーを全て平面状の色彩板として形成する。これにより、機器収納箱４０の露出部分を略全面に渡って周囲の壁面と調和させることができ、機器収納箱４０の意匠性を向上させることができる。
【００３１】
なお、本実施例において機器収納箱４０に収納される火災発信機は、上記実施例１〜５のようにその正面に色彩板たる正面板３を設けてなるものである。ただし、これには限られず、機器収納箱４０に既に色彩板４４が設けられていることから、火災発信機については、正面板３を設けることなく、従来と同様に全面を赤色としてもよい。
【実施例７】
【００３２】
実施例７では、建物の壁面に設置され、警報の内容等を表示することのできる副表示盤５０に本発明を適用した場合について説明する。図１２は、本実施例における副表示盤５０の斜視図である。副表示盤５０も、実施例６の機器収納箱４０と同様に、建物の壁面に設置される防災用機器の一種である。
【００３３】
図１２に示すように、副表示盤５０には、各種情報を表示する表示部５１が正面の上部に設けられ、その側部には音響孔５２が設けられている。そして、正面の略全面には、凹陥状であって略平面状の取付面５３が形成されており、そこに色彩板５４が取付固定される。表示部５１や音響孔５２の配置についてはこれに限られず、どのような配置であってもよい。このように、副表示盤５０の正面のうち、従来使われていなかった部分に色彩板５４を設けることにより、副表示盤５０の意匠性を高めることができる。
【００３４】
なお、上記の実施形態の正面板（色彩板）は表と裏とで色彩を変えて、裏返すなど選択して取付けるようにしてもよい。また、複数色の正面板の中には、従来通りの赤色を１枚含めてあってもよく、顧客の要望により前面全てを赤色にすることもできる。また、上記の実施形態の正面板は、ネジ等により着脱自在に取付けられているが、これに限らず接着剤やテープにより取付けるようにしてもよい。
【００３５】
なお、本実施例の色彩板は夜間や停電時に発光する蓄光材を含む板であってもよく、夜間や停電時に火災が発生しても、機器が光ることにより、暗い中でも場所を容易に特定でき、火災発信操作などの対応を行い易い。この蓄光材の色彩板中に「火災報知器」などの文字を印刷し、文字以外の部分が蓄光材で発光するようにすれば、暗くても火災発信機の場所が目立ち、また発光しない文字部分と発光するその他の分が区別され、はっきりと防災用機器と認識でき誤操作を防ぐことができる。蓄光材の発光色は適宜の蛍光色の目立つ色でよいが、防災機器に一般的に使用される赤系の発光材であれば防災機器であることがより認識できる。また、上記カバー体２も蓄光材で構成してもよし、各色の蓄光材でなる複数の色彩板を用意してもよい。また、各有彩色の色彩板に「火災報知器」などの文字を蓄光材で印刷するようにしてもよい。
【００３６】
また、色彩板のその他の実施例として、温度により色彩が変化する示温インクなどを含む色彩板であっても良い。季節や時間による気温変化により色が変化させるようにして意匠性を向上することができる。また、反射板で構成すれば、懐中電灯などの光が反射して認識効果及び意匠性を向上することができる。その他、色彩板として鏡板や半透明板であってもよいし、これらを組み合わせた板でもよい。例えば色彩板の縁部を蓄光材や反射材とし、縁部以外の部分が他の色彩で塗装されていてもよい。
【００３７】
なお、本実施例においてはカバー体２が赤色と色彩板３が複数種有するものとなっているが、これに限らず、カバー体自体が各種の色彩を有し、カバー体と色彩板それぞれを選択して本体に取付けるようにしてもよい。カバー体と色彩板が一体であり、各種のカバー体から選択して本体に取付けるようにしてもよく、防災用機器の認識向上と建物との調和を図ることができる。
【図面の簡単な説明】
【００３８】
【図１】第１実施例における火災発信機の正面図である。
【図２】第１実施例における火災発信機の側面組立図である。
【図３】第１実施例における枠体及び正面板の断面図である。
【図４】第１実施例における火災発信機の組立斜視図である。
【図５】第２実施例における枠体の背面図である。
【図６】第２実施例における正面板の正面図である。
【図７】第２実施例における枠体及び正面板の断面図である。
【図８】第３実施例における火災発信機の正面図である。
【図９】第４実施例における火災発信機の正面図である。
【図１０】第５実施例における火災発信機の正面図である。
【図１１】第６実施例における機器収納箱の斜視図である。
【図１２】第７実施例における副表示盤の斜視図である。
【符号の説明】
【００３９】
１    火災発信機本体
２    カバー体
３    正面板
４    固定ネジ
１０    押釦スイッチ
１１    電話ジャック
２０    枠体
２１    側面部
２２    取付面
４０    機器収納箱
５０    副表示盤
【図１】
2005196742.tif 000003
【図２】
2005196742.tif 000004
【図３】
2005196742.tif 000005
【図４】
2005196742.tif 000006
【図５】
2005196742.tif 000007
【図６】
2005196742.tif 000008
【図７】
2005196742.tif 000009
【図８】
2005196742.tif 000010
【図９】
2005196742.tif 000011
【図１０】
2005196742.tif 000012
【図１１】
2005196742.tif 000013
【図１２】
2005196742.tif 000014